(57)【要約】【課題】  スクリーニング機能に優れ、組み立てが容易で安定作動されるバケット装置を提供する。【解決手段】  バケット本体２内に互いがスライド移動することでスクリーニング機能を果たす一対のスクリーニングプレート３２が配置されて構成されるバケット装置であり、駆動モータ１６と、互いに相反して偏心回転する一対の回転作動部２４を備え作動軸２２が駆動モータ１６の駆動軸に連接されて回転駆動されるクランク部１６と、一対の回転作動部２４それぞれに外嵌されて回動可能に連結される一対のコネクティングロッド２６を備え、コネクティングロッド２６端それぞれに一対のスクリーニングプレート３２のそれぞれが取り付けられてなるもの。【選択図】図４
2019210790.tif 000002
【特許請求の範囲】
【請求項１】
バケット本体内に互いがスライド移動することでスクリーニング機能を果たす一対のスクリーニングプレートが配置されて構成されるバケット装置であり、
駆動モータと、
互いに相反して偏心回転する一対の回転作動部を備え、作動軸が前記駆動モータの駆動軸に連接されて回転駆動されるクランク部と、
前記一対の回転作動部それぞれに外嵌されて回動可能に連結される一対のコネクティングロッドを備え、
前記コネクティングロッド端それぞれに前記一対のスクリーニングプレートのそれぞれが取り付けられてなることを特徴とするバケット装置。
【請求項２】
前記スクリーニングプレートとして一体に組まれたものが装着使用され、前記スクリーニングプレートとしてスクリーニング機能が異なるものが選択使用される請求項１記載のバケット装置
【発明の詳細な説明】
【技術分野】
【０００１】  この発明はスクリーニング機能を備えるバケット装置に関する。
【背景技術】
【０００２】  ショベルのアームに連結使用されるバケット装置として、バケット本体内に互いがスライド移動する一対のスクリーニングプレートが配置され、スクリーニング機能を果たすものが提供されている。
【発明の概要】
【発明が解決しようとする課題】
【０００３】  上記のバケット装置は、例えば、モータの駆動軸に作動軸がリンク連結され、その作動軸に取り付けられた搖動片の両端それぞれに一対のスクリーニングプレートが取り付けられて構成されている。このような搖動作動の場合、モータの駆動力がスクリーニングプレートに効率良く伝達されず、また、モータの高速回転使用も難しく、スクリーニング機能が十分に発揮されない問題があった。また、組み立て構造も複雑であるとともに、作動が安定しないという問題もあった。【０００４】  この発明は上記の事情に鑑みて行ったもので、スクリーニング機能に優れ、組み立てが容易で安定作動されるバケット装置を提供することを目的とする。
【課題を解決するための手段】
【０００５】  この発明では、バケット本体内に互いがスライド移動することでスクリーニング機能を果たす一対のスクリーニングプレートが配置されて構成されるバケット装置であり、駆動モータと、互いに相反して偏心回転する一対の回転作動部を備え、作動軸が前記駆動モータの駆動軸に連接されて回転駆動されるクランク部と、前記一対の回転作動部それぞれに外嵌されて回動可能に連結される一対のコネクティングロッドを備え、前記コネクティングロッド端それぞれに前記一対のスクリーニングプレートのそれぞれが取り付けられてなることを特徴とするバケット装置を提供する。【０００６】  上記構成のバケット装置は、駆動モータによりクランク部の回転作動部それぞれが相反するタイミングで偏心回転作動され、回転作動部それぞれに連結されるコネクティングロッドそれぞれが相反するタイミングで往復動作を行い、これに伴いスクリーニングプレートそれぞれが往復作動され互いがスライド移動することでスクリーニング動作を行う。クランク部の作動軸が駆動モータの駆動軸に連接されていることで駆動力が効率良くスクリーニングプレートに伝達され、かつ、駆動モータの高速回転使用も可能で、これによりスクリーニング機能が良好に発揮される。クランク部とコネクティングロッドとを用いた容易な組み立て構造によりスクリーニング動作が行われるとともに、その動作は安定して行われる。【０００７】  スクリーニングプレートとして一体に組まれたものが装着使用され、スクリーニングプレートとしてスクリーニング機能が異なるものが選択使用されることで、スクリーニングされる物体に対応してくスクリーニング機能が効率良く行われる。
【発明の効果】
【０００８】  この発明によれば、スクリーニング機能に優れ、組み立てが容易で安定作動されるバケット装置が得られる。
【図面の簡単な説明】
【０００９】
【図１】  この発明のバケット装置の実施形態の正面図
【図２】  この発明のバケット装置の実施形態の側面図
【図３】  この発明のバケット装置の実施形態の平面図
【図４】  この発明のバケット装置の実施形態の要部拡大斜視図
【図５】  この発明のバケット装置の実施形態の要部拡大断面図
【図６】  この発明のバケット装置の実施形態の要部拡大斜視図
【図７】  この発明のバケット装置の実施形態の動作説明図
【図８】  この発明のバケット装置の実施形態の動作説明図
【図９】  この発明のバケット装置の実施形態の動作説明図
【発明を実施するための形態】
【００１０】  図１はこの発明のバケット装置の実施形態の正面図、図２は同側面図、図３は同平面図である。バケット装置１において、２はバケット本体であり、バケット本体２は一対の側フレーム４、４が上部において上フレーム６で連結され、上フレーム６上にショベルのアーム端に連結されるブラケット５が一体に備えられている。側フレーム４、４は前下部において連結フレーム８で、後下部において連結パイプ１０でそれぞれ連結支持されている。
【００１１】  上フレーム６の中央上面には油圧モータ（駆動モータ）１２が設置され、その両側には軸受け部材１４それぞれに軸受け支持されて、図４、図５に示す偏心回転部材（クランク部）１６のそれぞれが回転可能に設けられている。１８のそれぞれはカップリングであり、油圧モータ１２の両側に突出する駆動軸それぞれと偏心回転部材１６の作動軸２２とを同軸に連動連結している。偏心回転部材１６は作動軸２２に一対の円形作動板（回転作動部）２４が互いに相反して偏心する位置において貫入固定されて取り付けられて構成されている。作動軸２２の相反する位置に装着凹部１９が設けられるとともに円形作動板２４それぞれの軸支穴２５内には内方側に沿って溝部２１が設けられている。作動軸２２の装着凹部１９それぞれに装着された位置決め片２３それぞれが溝部２１それぞれに嵌入されることで、円形作動板２４のそれぞれは作動軸２２に対し互いに相反して偏心する位置において取り付けられている。
【００１２】  ２６のそれぞれはコネクティングロッドであり、その上部の環状連結部２８が軸受けを介して偏心回転部材１６の円形作動板２４それぞれに外嵌されて回転可能に連結されている。コネクティングロッド２６のアーム２７端は軸受けを介して連結具３０に支持ピン２９に軸支されて回転可能に連結され、その連結具３０にスクリーニングプレート３２の上部ロッド３４が貫通して溶接固定されている。
【００１３】  スクリーニングプレート３２は上部ロッド３４に複数の湾曲材３６の上端が所定の間隔をおいて貫通されて溶接固着され、それら湾曲材３６にはその長手方向に沿って多数個のふるい片３８が所定の間隔で取り付けられている。一対のスクリーニングプレート３２は互いの湾曲材３６とふるい片３８とが重なることがないように配置されている。
【００１４】  図６はスクリーニングプレート３２の下端側の構造を示す。湾曲材３６それぞれの下端には支持部材４０それぞれが固着されており、それら支持部材４０が両端において固定部材３７に固定されるピン３９により回動可能に軸支されて取り付けられている。固定部材３７と支持部材４０とはその側面形状を同形とし、それらは前部が横方向に連続する取付け板４２にボルト３３より連結されて一体に固定されている。取り付け板４２は連結フレーム８の後部上にボルト３５より固定されている。連結フレーム８には所定の間隔をおいてガイド刃４４が溶接固定されている。４６は支持部材４０の隙間を覆うカバープレートで、支持部材４０間に物が入り詰まって湾曲材３６それぞれがスムーズに動作しなくなることを回避するように設けられている。スクリーニングプレート３２は上端側において連結具３０のそれぞれが支持ピン２９に軸支され、下端側において取り付け板４２が連結フレーム８に取り付けられてバケット本体２に組付けられる。スクリーニングプレート３２は湾曲材３６とふるい片３８との配置構成が異なるスクリーニング機能の異なるものが適宜選択使用される。
【００１５】  上記構成のバケット装置は、油圧モータ１２が作動されることで偏心回転部材１６のそれぞれにおける円形作動板２４のそれぞれか相反するタイミングで偏心回転作動され、円形作動板２４それぞれに回動可能に連結されるコネクティングロッド２６それぞれが相反するタイミングで往復動作を行い、これに伴いスクリーニングプレート３２それぞれは下端側がピン３９を支点として回動して相反するタイミングで往復動作される。図７は偏心回転部材１６が１回転した際の一方のスクリーニングプレート３２の往復動作の最大の動き巾Ａを示し、図８は同じく他方のスクリーニングプレート３２の往復動作の最大の動き巾Ｂを示し、図９はそれぞれのスクリーニングプレート３２が最も離間した距離Ｃを示す。スクリーニングプレート３２それぞれが相反するタイミングで往復作動して互いの湾曲材３６とふるい片３８とがスライドするように作動する。これにより、スクリーニングプレート３２それぞれの上にある物体のふるいによるスクリーニング動作が行われ、小形の物体が互いの湾曲材３６とふるい片３８との間から下方にふるい落とされる。
【００１６】  上記のスクリーニング動作は、偏心回転部材１６の円形作動板２４の作動軸２２が油圧モータ１２の駆動軸に連接されていることで、駆動力が効率良くスクリーニングプレート３２に伝達されて行われ、かつ、油圧モータ１２の高速回転使用も可能で、これによりスクリーニング機能が良好に果たされる。また、偏心回転部材１６とコネクティングロッド２６とを用いた容易な組み立て構造によりスクリーニング動作が行われるとともに、その動作は安定したものとなる。
【符号の説明】１  バケット装置
２  バケット本体
１２  油圧モータ（駆動モータ）
１６  偏心回転部材（クランク部）
２２  作動軸
２４  円形作動版（回転作動部）
２６  コネクティングロッド
３２  スクリーニングプレート
【図１】
2019210790.tif 000003
【図２】
2019210790.tif 000004
【図３】
2019210790.tif 000005
【図４】
2019210790.tif 000006
【図５】
2019210790.tif 000007
【図６】
2019210790.tif 000008
【図７】
2019210790.tif 000009
【図８】
2019210790.tif 000010
【図９】
2019210790.tif 000011